(57)【要約】      （修正有）【課題】ユーザ装置とクロック同期型パケット転送網の周波数公差によるパケット廃棄を防止する。【解決手段】ユーザ装置から受信するパケット信号のクロック周波数f0＋Δf1を検出し、基準周波数f0との差分周波数Δf1を検出し、当該差分周波数Δf1の情報を含む第１の差分信号を生成するユーザ装置側受信手段と、クロック周波数f0＋Δf1に対応する帯域を確保し、ユーザ装置側受信手段に受信するパケット信号および第１の差分信号をクロック同期型パケット転送網に送信する網側送信手段と、クロック同期型パケット転送網からパケット信号および差分周波数Δf2の情報を含む第２の差分信号を受信する網側受信手段と、差分周波数Δf2から基準クロックに同期したクロック周波数f0＋Δf2を生成し、当該クロック周波数f0＋Δf2で網側受信手段に受信したパケット信号をユーザ装置に送信するユーザ装置側送信手段とを備える。【選択図】図１
2011087186.tif 000002
【特許請求の範囲】
【請求項１】
クロック周波数f0＋Δf1で動作するユーザ装置から受信するパケット信号を基準周波数f0の基準クロックに同期するクロック同期型パケット転送網に送信し、該クロック同期型パケット転送網から受信するパケット信号を前記ユーザ装置に送信するパケット転送装置において、
前記ユーザ装置から受信するパケット信号のクロック周波数f0＋Δf1を検出し、前記基準周波数f0との差分周波数Δf1を検出し、当該差分周波数Δf1の情報を含む第１の差分信号を生成するユーザ装置側受信手段と、
前記クロック周波数f0＋Δf1に対応する帯域を確保し、前記ユーザ装置側受信手段に受信する前記パケット信号および前記第１の差分信号を前記クロック同期型パケット転送網に送信する網側送信手段と、
前記クロック同期型パケット転送網からパケット信号および差分周波数Δf2の情報を含む第２の差分信号を受信する網側受信手段と、
前記差分周波数Δf2から前記基準クロックに同期したクロック周波数f0＋Δf2を生成し、当該クロック周波数f0＋Δf2で前記網側受信手段に受信したパケット信号を前記ユーザ装置に送信するユーザ装置側送信手段と
を備えたことを特徴とするパケット転送装置。
【請求項２】
クロック周波数f0＋Δf1で動作するユーザ装置から受信するパケット信号を基準周波数f0の基準クロックに同期するクロック同期型パケット転送網に送信し、該クロック同期型パケット転送網から受信するパケット信号を前記ユーザ装置に送信するパケット転送装置において、
前記パケット信号のクロック周波数f0＋Δf1と前記基準周波数f0との差分周波数Δf1の上限を最大差分周波数Δfmaxとし、
前記ユーザ装置からパケット信号を受信するユーザ装置側受信手段と、
前記クロック周波数f0＋Δfmaxに対応する帯域を確保し、前記ユーザ装置側受信手段に受信する前記パケット信号を前記クロック同期型パケット転送網に送信する網側送信手段と、
前記クロック同期型パケット転送網からパケット信号を受信する網側受信手段と、
前記最大差分周波数Δfmaxから前記基準クロックに同期したクロック周波数f0＋Δfmaxを生成し、当該クロック周波数f0＋Δfmaxで前記網側受信手段に受信したパケット信号を前記ユーザ装置に送信するユーザ装置側送信手段と
を備えたことを特徴とするパケット転送装置。
【請求項３】
請求項１に記載のパケット転送装置において、
前記パケット転送装置間を接続する通信方式は、ＩＥＥＥ802.1ah ＰＢＢ−ＴＥ（Provider Backbone Bridging - Traffic Engineering）またはＩＴＵ−Ｔ  G.8118.1  ＭＰＬＳ−ＴＰ（Multiprotocol Label Switching - Transport Profile)とし、前記パケット転送装置間に経路が固定されたパスを設定して帯域を確保する構成である
ことを特徴とするパケット転送装置。
【請求項４】
請求項２に記載のパケット転送装置において、
前記パケット転送装置間を接続する通信方式は、ＩＥＥＥ802.1ah ＰＢＢ−ＴＥ（Provider Backbone Bridging - Traffic Engineering）またはＩＴＵ−Ｔ  G.8118.1  ＭＰＬＳ−ＴＰ（Multiprotocol Label Switching - Transport Profile)とし、前記パケット転送装置間に経路が固定されたパスを設定して帯域を確保する構成である
ことを特徴とするパケット転送装置。
【請求項５】
請求項１に記載のパケット転送装置において、
前記ユーザ装置側受信手段および前記ユーザ装置側送信手段と他のパケット転送装置との間にＶＬＡＮ（Virtual Local Area Network) を設定し、前記パケット転送装置間に経路が固定されたフローを設定して帯域を確保する構成である
ことを特徴とするパケット転送装置。
【請求項６】
請求項２に記載のパケット転送装置において、
前記ユーザ装置側受信手段および前記ユーザ装置側送信手段と他のパケット転送装置との間にＶＬＡＮ（Virtual Local Area Network) を設定し、前記パケット転送装置間に経路が固定されたフローを設定して帯域を確保する構成である
ことを特徴とするパケット転送装置。
【請求項７】
請求項３または請求項５に記載のパケット転送装置において、
前記パケット転送装置間の帯域を前記差分周波数Δf1に応じて設定する構成である
ことを特徴とするパケット転送装置。
【請求項８】
請求項３または請求項５に記載のパケット転送装置において、
前記パケット転送装置間の帯域を前記差分周波数Δf1の変動に応じて動的に設定する構成である
ことを特徴とするパケット転送装置。
【発明の詳細な説明】
【技術分野】
【０００１】
本発明は、クロック同期型パケット転送網において、ユーザ装置の周波数公差によるパケット廃棄を防止するパケット転送装置に関する。
【背景技術】
【０００２】
近年の通信システムトラフィックは、回線からパケットの比重が大きくなっている。通信事業者の基幹通信網も、ＳＤＨ網からＩＰ網やイーサネット（登録商標）などのパケット転送網への移行が進みつつある。ただし、移行途中では既存のＳＤＨ網とパケット転送網が並存することになり、ＳＤＨ網によるパケット転送技術とパケット転送網によるＳＤＨ信号伝送技術が実用化されつつある。ＳＤＨ網では、すべての伝送装置は網同期することが前提となっているが、パケット転送網でＳＤＨ信号を伝送する場合にもクロックを情報とともに伝送する必要がある。今後パケット転送網の主流となると考えられているイーサネット網では、クロックを転送する技術としてシンクロナスイーサネットが国際標準（ITU-T G.8261など）として規定されており、これらの問題は解決しつつある。この網同期機能を有するパケット転送装置により構成させる網同期型イーサネット網が、通信事業者の基幹網の中心となっていくと考えられている。
【０００３】
一方、通信事業者がパケット転送網へ移行を開始することで、高信頼性を要求するユーザも徐々にＳＤＨ網からパケット転送網へと移行し始めているが、これらのユーザは信号の瞬時の断も許容しない。これは、通信事業者の基幹網の途中でパケットが破棄されるようなことは許容できないことを示す。
【０００４】
しかし、従来のクロック同期型パケット転送網におけるパケット転送装置では、たとえパケット転送網側の帯域を十分に確保したとしても、ある条件下ではパケットを破棄することがある。それは、図５に示すように、ユーザ装置の信号周波数f0＋Δf1、f0＋Δf2が許容される周波数公差の範囲内であるが、通信事業者側の基幹網（クロック同期型パケット転送網）の信号周波数f0±０（網同期であるため、おおむね周波数公差０）よりも高く設定される場合である。たとえば、ユーザ装置の信号がギガビットイーサネットの場合は、規定のクロック周波数1.25ＧHz±100ppm（125 ｋHz）の上限の周波数となっていれば、 125ｋHzだけ基幹網よりも高くなる。そのため、基幹網の入力点（ユーザ側のクロックから基幹網側のクロックへと乗り換える点）で、入力信号の最大通過可能帯域をクロック周波数換算で1.25ＧHzに設定してあれば、パケット廃棄が発生する可能性がある。
【発明の概要】
【発明が解決しようとする課題】
【０００５】
従来のクロック同期型パケット転送網におけるパケット転送装置では、上記のパケット廃棄を回避するために以下に示す２つの課題を解決する必要がある。
【０００６】
図６は、従来のパケット転送装置における２つの課題を示す。ユーザ装置１１のクロック周波数はf0＋Δf1、ユーザ装置１２のクロック周波数はf0＋Δf2、パケット転送装置３１，３２はクロック同期型パケット転送網３０の基準クロックの基準周波数f0に同期しているものとする。図６には、それぞれで転送できるパケット量を模式的に示す。
【０００７】
第１の課題は、図６(1) に示すように、ユーザ装置１１のクロック周波数f0＋Δf1が基準周波数f0よりも公差分Δf1だけ高い周波数である場合に、ユーザ装置１１から送信されるパケットは、クロック同期型パケット転送網３０の入力点のパケット転送装置３１で、基準周波数f0に応じた入力制限がかかり、公差分Δf1に相当するパケットの廃棄が発生することである。
【０００８】
第２の課題は、図６(2) に示すように、クロック同期型パケット転送網３０の入力点でパケット廃棄が起きないように、パケット転送装置３１で最大公差周波数Δfmaxを考慮した帯域を確保しても、出力端のパケット転送装置３２でユーザ装置１２と接続するために、基準周波数f0に同期したパケットを出力すると、やはりパケット廃棄が発生することである。
【０００９】
本発明は、ユーザ装置とクロック同期型パケット転送網の周波数公差によるパケット廃棄を防止することができるパケット転送装置を提供することを目的とする。
【課題を解決するための手段】
【００１０】
第１の発明は、クロック周波数f0＋Δf1で動作するユーザ装置から受信するパケット信号を基準周波数f0の基準クロックに同期するクロック同期型パケット転送網に送信し、該クロック同期型パケット転送網から受信するパケット信号をユーザ装置に送信するパケット転送装置において、ユーザ装置から受信するパケット信号のクロック周波数f0＋Δf1を検出し、基準周波数f0との差分周波数Δf1を検出し、当該差分周波数Δf1の情報を含む第１の差分信号を生成するユーザ装置側受信手段と、クロック周波数f0＋Δf1に対応する帯域を確保し、ユーザ装置側受信手段に受信するパケット信号および第１の差分信号をクロック同期型パケット転送網に送信する網側送信手段と、クロック同期型パケット転送網からパケット信号および差分周波数Δf2の情報を含む第２の差分信号を受信する網側受信手段と、差分周波数Δf2から基準クロックに同期したクロック周波数f0＋Δf2を生成し、当該クロック周波数f0＋Δf2で網側受信手段に受信したパケット信号をユーザ装置に送信するユーザ装置側送信手段とを備える。
【００１１】
第２の発明は、クロック周波数f0＋Δf1で動作するユーザ装置から受信するパケット信号を基準周波数f0の基準クロックに同期するクロック同期型パケット転送網に送信し、該クロック同期型パケット転送網から受信するパケット信号をユーザ装置に送信するパケット転送装置において、パケット信号のクロック周波数f0＋Δf1と基準周波数f0との差分周波数Δf1の上限を最大差分周波数Δfmaxとし、ユーザ装置からパケット信号を受信するユーザ装置側受信手段と、クロック周波数f0＋Δfmaxに対応する帯域を確保し、ユーザ装置側受信手段に受信するパケット信号をクロック同期型パケット転送網に送信する網側送信手段と、クロック同期型パケット転送網からパケット信号を受信する網側受信手段と、最大差分周波数Δfmaxから基準クロックに同期したクロック周波数f0＋Δfmaxを生成し、当該クロック周波数f0＋Δfmaxで網側受信手段に受信したパケット信号をユーザ装置に送信するユーザ装置側送信手段とを備える。
【００１２】
第１の発明のパケット転送装置において、パケット転送装置間を接続する通信方式は、ＩＥＥＥ802.1ah ＰＢＢ−ＴＥまたはＩＴＵ−Ｔ  G.8118.1  ＭＰＬＳ−ＴＰとし、パケット転送装置間に経路が固定されたパスを設定して帯域を確保する構成である。
【００１３】
第２の発明のパケット転送装置において、パケット転送装置間を接続する通信方式は、ＩＥＥＥ802.1ah ＰＢＢ−ＴＥまたはＩＴＵ−Ｔ  G.8118.1  ＭＰＬＳ−ＴＰとし、パケット転送装置間に経路が固定されたパスを設定して帯域を確保する構成である。
【００１４】
第１の発明のパケット転送装置において、ユーザ装置側受信手段およびユーザ装置側送信手段と他のパケット転送装置との間にＶＬＡＮを設定し、パケット転送装置間に経路が固定されたフローを設定して帯域を確保する構成である。
【００１５】
第２の発明のパケット転送装置において、ユーザ装置側受信手段およびユーザ装置側送信手段と他のパケット転送装置との間にＶＬＡＮを設定し、パケット転送装置間に経路が固定されたフローを設定して帯域を確保する構成である。
【００１６】
第１の発明のパケット転送装置において、パケット転送装置間の帯域を差分周波数Δf1に応じて設定する構成としてもよい。さらに、パケット転送装置間の帯域を差分周波数Δf1の変動に応じて動的に設定する構成としてもよい。
【発明の効果】
【００１７】
本発明のパケット転送装置は、ユーザ装置のクロック周波数が基準周波数f0よりも高い周波数である場合でも、他のパケット転送装置に転送する際および網側からユーザ装置に送信する際に、ユーザ装置とクロック同期型パケット転送網の周波数公差によるパケット廃棄を防止することができる。
【図面の簡単な説明】
【００１８】
【図１】本発明のパケット転送装置の第１の実施例を示す図である。
【図２】本発明の第１の実施例におけるパケット転送装置２１の構成例を示す図である。
【図３】本発明のパケット転送装置の第２の実施例を示す図である。
【図４】本発明の第２の実施例におけるパケット転送装置２３の構成例を示す図である。
【図５】クロック同期型パケット転送網の構成例を示す図である。
【図６】従来のパケット転送装置における２つの課題を説明する図である。
【発明を実施するための形態】
【００１９】
（第１の実施例）
図１は、本発明のパケット転送装置の第１の実施例を示す。本実施例は、図６(1),(2) に示す第１の課題および第２の課題に対する第１の解決法を示す。
【００２０】
図１において、ユーザ装置１１のクロック周波数はf0＋Δf1、ユーザ装置１２のクロック周波数はf0＋Δf2であり、クロック同期型パケット転送網２０の基準クロックの基準周波数f0よりそれぞれΔf1、Δf2だけ高く設定されている。ここでは、ユーザ装置１１から送信されたパケット信号をクロック同期型パケット転送網２０のパケット転送装置２１で受信し、パケット転送装置２１からパケット転送装置２２に転送し、パケット転送装置２２からユーザ装置１２に送信する場合について示すが、ユーザ装置１２からユーザ装置１１に送信する場合についても同様である。
【００２１】
ユーザ装置１１に接続するパケット転送装置２１は、ユーザ装置１１から送信されたパケット信号のクロック周波数f0＋Δf1と基準周波数f0との差分周波数Δf1を検出し、当該差分周波数Δf1の情報を含む差分信号をクロック同期型パケット転送網２０を介してパケット転送装置２２に転送する。また、パケット転送装置２１は、入力するパケット信号のクロック周波数f0＋Δf1に対応する帯域を確保し、当該パケット信号をクロック同期型パケット転送網２０を介してパケット転送装置２２に転送する。パケット転送装置２２は、差分周波数Δf1の情報を含む差分信号を受信し、基準クロックに同期したクロック周波数f0＋Δf1のクロック信号を生成し、パケット転送装置２１から転送されたパケット信号をユーザ装置１２に送信する。これにより、ユーザ装置１１から送信されたパケット信号をパケット転送装置２１，２２を介してユーザ装置１２に転送する過程でのパケット廃棄を防止することができる。
【００２２】
なお、ユーザ装置１１の周波数公差Δf1と、ユーザ装置１２の周波数公差Δf2について、Δf1≦Δf2であればユーザ装置１２でのパケット廃棄は生じないが、Δf1＞Δf2であればユーザ装置１２でのパケット廃棄が生じる。ただし、本発明はクロック同期型パケット転送網２０のパケット転送装置２１，２２でのパケット廃棄を防止することが目的であり、ユーザ装置１２でのパケット廃棄は関知しない。
【００２３】
図２は、本発明の第１の実施例におけるパケット転送装置２１の構成例を示す。
図２において、パケット転送装置２１は、ユーザ装置との信号送受信処理を行うユーザ装置側インタフェース部４０−１，４０−２と、クロック同期型パケット転送網２０のパケット転送装置との信号送受信処理を行う網側インタフェース部５０と、ユーザ装置側インタフェース部４０−１，４０−２と網側インタフェース部５０とを接続するパケットスイッチ部（ＳＷ）６１と、パケット転送装置２１を制御する監視制御部６２、各インタフェース部に基準クロックを供給する基準クロック部６３とを備える。なお、基準クロック部６３は、図６に示すクロック供給装置から直接入力するか、クロック供給装置に接続されるパケット転送装置を介して入力する基準周波数f0のクロック信号に同期した基準クロックを生成する構成である。
【００２４】
ここで、本実施例のユーザ装置側インタフェース部４０−１，４０−２は、請求項１に記載のユーザ装置側受信手段およびユーザ装置側送信手段に相当する。本実施例の網側インタフェース部５０は、請求項１に記載の網側送信手段および網側受信手段に相当する。
【００２５】
ユーザ装置側インタフェース部４０−１は、ユーザ装置からパケット信号を入力する光／電気変換部（Ｏ／Ｅ）４１、入力するパケット信号のクロック周波数f0＋Δf1を検出するクロック制御部（ＣＤＲ：Clock Data Recovery ）４２、パケット信号のクロック周波数f0＋Δf1と基準クロック部６３の基準周波数f0との差分周波数Δf1を検出して監視制御部６２に通知する周波数比較部４３、基準クロックと監視制御部６２から差分周波数Δf2を入力してクロック周波数f0＋Δf2のクロック信号を生成するクロック生成部４４、ユーザ装置への送信に用いるクロック周波数f0＋Δf2を設定するＣＤＲ４５、ユーザ装置にパケット信号を送信する電気／光変換部（Ｅ／Ｏ）４６により構成される。
【００２６】
網側インタフェース部５０は、基準クロック部６３から基準周波数f0の基準クロックを入力し、監視制御部６２から差分周波数Δf1の情報を含む差分信号を入力し、クロック周波数f0＋Δf1に対応する帯域を確保してパケット信号および差分周波数Δf1の情報を含む差分信号を隣接するパケット転送装置に送信するＣＤＲ５１およびＥ／Ｏ５２、隣接するパケット転送装置からパケット信号および差分周波数Δf2の情報を含む差分信号を受信し、差分信号を監視制御部６２に出力するＯ／Ｅ５３およびＣＤＲ５４により構成される。
【００２７】
本実施例のパケット転送装置２１は、ユーザ装置側インタフェース部４０−１に入力するパケット信号のクロック周波数f0＋Δf1に応じて受信処理を行い、基準周波数f0との差分周波数Δf1を検出して監視制御部６２に通知する。監視制御部６２は、この差分周波数Δf1の情報を含む差分信号を網側インタフェース部５０に出力し、網側インタフェース部５０から隣接するパケット転送装置に転送する。また、パケット転送装置２１は、入力するパケット信号のクロック周波数f0＋Δf1に対応する帯域を確保して当該パケット信号を隣接するパケット転送装置に転送する。一方、網側インタフェース部５０は、隣接するパケット転送装置から転送される差分周波数f0＋Δf2の情報を含む差分信号を受信し、監視制御部６２に通知する。監視制御部６２は、この差分周波数Δf2をユーザ装置側インタフェース部４０−１に通知し、パケット転送装置２１からユーザ装置に送信するパケット信号をクロック周波数f0＋Δf2で処理する。
【００２８】
（第２の実施例）
図３は、本発明のパケット転送装置の第２の実施例を示す。本実施例は、図６(1),(2) に示す第１の課題および第２の課題に対する第２の解決法を示す。
【００２９】
図３において、ユーザ装置１１のクロック周波数はf0＋Δf1、ユーザ装置１２のクロック周波数はf0＋Δf2であり、クロック同期型パケット転送網２０の基準クロックの基準周波数f0よりそれぞれΔf1、Δf2だけ高く設定されている。ここでは、ユーザ装置１１から送信されたパケット信号をクロック同期型パケット転送網２０のパケット転送装置２３に入力し、パケット転送装置２３からパケット転送装置２４に転送し、パケット転送装置２３からユーザ装置１２に送信する場合について示すが、ユーザ装置１２からユーザ装置１１に送信する場合についても同様である。
【００３０】
ユーザ装置１１に接続するパケット転送装置２３は、入力するパケット信号の最大周波数公差Δfmaxを含むクロック周波数f0＋Δfmaxに対応する帯域を確保し、当該パケット信号をクロック同期型パケット転送網２０を介してパケット転送装置２２に転送する。パケット転送装置２２は、最大周波数公差Δfmaxに応じて、基準クロックに同期したクロック周波数f0＋Δfmaxのクロック信号を生成し、パケット転送装置２２から転送されたパケット信号をユーザ装置１２に送信する。これにより、ユーザ装置１１から送信されたパケット信号をパケット転送装置２３，２４を介してユーザ装置１２に転送する過程でのパケット廃棄を防止することができる。
【００３１】
なお、本実施例においてもユーザ装置１２でのパケット廃棄については第１の実施例と同様である。
【００３２】
図４は、本発明の第２の実施例におけるパケット転送装置２３の構成例を示す。
図４において、パケット転送装置２３は、ユーザ装置との信号送受信処理を行うユーザ装置側インタフェース部４０−１，４０−２と、クロック同期型パケット転送網２０のパケット転送装置との信号送受信処理を行う網側インタフェース部５０と、ユーザ装置側インタフェース部４０−１，４０−２と網側インタフェース部５０とを接続するパケットスイッチ部（ＳＷ）６１と、パケット転送装置２１を制御する監視制御部６２、各インタフェース部に基準クロックを供給する基準クロック部６３とを備える。なお、基準クロック部６３は、図６に示すクロック供給装置から直接入力するか、クロック供給装置に接続されるパケット転送装置を介して入力する基準周波数f0のクロック信号に同期した基準クロックを生成する構成である。
【００３３】
ここで、本実施例のユーザ装置側インタフェース部４０−１，４０−２は、請求項２に記載のユーザ装置側受信手段およびユーザ装置側送信手段に相当する。本実施例の網側インタフェース部５０は、請求項２に記載の網側送信手段および網側受信手段に相当する。
【００３４】
ユーザ装置側インタフェース部４０−１は、ユーザ装置からパケット信号を入力するＯ／Ｅ４１およびＣＤＲ４２、基準クロックと監視制御部６２から最大公差周波数Δfmaxを入力してクロック周波数f0＋Δfmaxのクロック信号を生成するクロック生成部４４、ユーザ装置への送信に用いるクロック周波数f0＋Δfmaxを設定するＣＤＲ４５、ユーザ装置にパケット信号を送信するＥ／Ｏ４６により構成される。
【００３５】
網側インタフェース部５０は、基準クロック部６３から基準周波数f0の基準クロックを入力し、最大公差周波数Δfmaxに応じたクロック周波数f0＋Δfmaxに対応する帯域を確保してパケット信号を隣接するパケット転送装置に送信するＣＤＲ５１およびＥ／Ｏ５２、隣接するパケット転送装置からパケット信号を受信するＯ／Ｅ５３およびＣＤＲ５４により構成される。
【００３６】
本実施例のパケット転送装置２３は、ユーザ装置側インタフェース部４０−１に入力するパケット信号のクロック周波数f0＋Δf1に応じて受信処理を行い、最大公差周波数Δfmaxを考慮したクロック周波数f0＋Δfmaxに対応する帯域を確保して当該パケット信号を隣接するパケット転送装置に転送する。また、パケット転送装置２３のユーザ装置側インタフェース部４０−１は、最大公差周波数Δfmaxを考慮したクロック周波数f0＋Δfmaxを設定し、隣接するパケット転送装置から転送されたパケット信号をユーザ装置に送信する。
【００３７】
（他の実施例）
第１の実施例および第２の実施例において、パケット転送装置間を接続する通信方式は、ＩＥＥＥ802.1ah ＰＢＢ−ＴＥ（Provider Backbone Bridging - Traffic Engineering）またはＩＴＵ−Ｔ  G.8118.1  ＭＰＬＳ−ＴＰ（Multiprotocol Label Switching - Transport Profile)であってもよい。これらの通信方式では、パケットで従来のＳＤＨと同様の経路が固定されたパスを張り、ＳＤＨと同等の信頼性を確保することができる。
【００３８】
また、第１の実施例および第２の実施例において、ユーザ装置側インタフェース部ごとに、他のパケット通信装置との間にＶＬＡＮ（Virtual Local Area Network) を設定して帯域を確保するようにしてもよい。ＶＬＡＮは、イーサネットスイッチにおいて、ＰＢＢ−ＴＥやＭＰＬＳ−ＴＰと同様のパスの概念であるフローを構築するものである。
【００３９】
また、第１の実施例において、ＰＢＢ−ＴＥやＭＰＬＳ−ＴＰでパスを設定する場合、ＶＬＡＮでフローを構築する場合に、他のパケット転送装置との間の帯域として、入力信号のクロック周波数f0＋Δf1と基準周波数f0との差分周波数Δf1に対応する分だけ拡大してパケット廃棄が生じないように設定してもよい。
【００４０】
さらに、他のパケット転送装置との間の帯域を差分周波数Δf1に応じて動的に変更するようにしてもよい。例えば、パケット転送装置のパケットスイッチ部（図２，６１）に備わっているポリシング機能部・シェーピング機能部によってパスの帯域を制御することができる。１ＧbpsEthernet （登録商標）の場合、元の信号は１ＧHzであるが、8B/10B符号化によりクロックレートは1.25ＧHz（＝１×(10/8)）となる。最大公差周波数 125ｋHzで入力された場合1.250125ＧHzとなり、これを帯域で換算すると 100ｋbps 増加して1.0001Ｇbps となる。この 100ｋbps 増加分をポリシング機能部・シェーピング機能部へ登録することにより、1.0001Ｇbps 分の帯域を確保することができる。差分周波数は、常に測定しており、差分周波数が変化すれば、その分の帯域だけポリシング機能部・シェーピング機能部に再度登録することにより、動的に帯域を確保することができる。
【符号の説明】
【００４１】
１１，１２  ユーザ装置
２０，３０  クロック同期型パケット転送網
２１，２２，２３，２４，３１，３２  パケット転送装置
４１，５３  光／電気変換部（Ｏ／Ｅ）
４２，４５，５１，５４  クロック制御部（ＣＤＲ：Clock Data Recovery ）
４３  周波数比較部
４４  クロック生成部
４６，５２  電気／光変換部（Ｅ／Ｏ）
６１  パケットスイッチ部（ＳＷ）
６２  監視制御部
６３  基準クロック部
【図１】
2011087186.tif 000003
【図２】
2011087186.tif 000004
【図３】
2011087186.tif 000005
【図４】
2011087186.tif 000006
【図５】
2011087186.tif 000007
【図６】
2011087186.tif 000008